【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
互いに通信を行う印刷装置と印刷レイアウト作成装置とを備える印刷システムであって、
印刷イメージに基づき長尺状の被印刷媒体に前記印刷装置により印刷が行われることで作成される印刷物の貼付対象物情報を取得し、
前記貼付対象物情報に基づいて前記印刷イメージの幅を決定し、
前記印刷装置が収納する前記被印刷媒体の長尺方向に直交する幅方向の幅を取得し、
前記被印刷媒体の幅と前記印刷イメージの幅とに基づいて、前記被印刷媒体における前記印刷イメージの印刷レイアウトを決定する、制御部を備える
ことを特徴とする印刷システム。
【請求項２】
前記制御部は、前記印刷イメージの幅が前記被印刷媒体の幅よりも短い場合に、前記印刷イメージと、当該印刷イメージと同一の印刷内容を有し、前記被印刷媒体のうち前記印刷イメージが印刷されない余白領域に収まる幅の他の印刷イメージと、を含む前記印刷レイアウトを決定する
ことを特徴とする請求項１記載の印刷システム。
【請求項３】
前記制御部は、前記印刷物の貼付対象物の分類情報に対応する１種類以上の幅の中から他の印刷イメージの幅を決定する
ことを特徴とする請求項１又は２記載の印刷システム。
【請求項４】
印刷イメージが印刷装置により印刷される被印刷媒体から作成される印刷物の貼付対象物情報を取得し、
前記貼付対象物情報に基づいて前記印刷イメージの幅を決定し、
前記印刷装置が収納する前記被印刷媒体の長尺方向に直交する幅方向の幅の情報を取得し、
前記被印刷媒体の幅と前記印刷イメージの幅とに基づいて、前記被印刷媒体における前記印刷イメージの印刷レイアウトを決定する、制御部を備える
ことを特徴とする印刷レイアウト作成装置。
【請求項５】
前記制御部は、さらに、
決定した前記印刷レイアウトにしたがって前記印刷イメージを前記被印刷媒体へ印刷することを前記印刷装置に対して要求する
ことを特徴とする請求項４記載の印刷レイアウト作成装置。
【請求項６】
前記制御部は、
前記幅の情報を、前記印刷装置との間で通信を行うことにより、前記印刷装置から取得する
ことを特徴とする請求項４又は５記載の印刷レイアウト作成装置。
【請求項７】
前記制御部は、さらに、
前記印刷イメージの幅が前記被印刷媒体の幅よりも短い場合に、前記印刷イメージと、当該印刷イメージと同一の印刷内容を有し、前記被印刷媒体のうち前記印刷イメージが印刷されない余白領域に収まる幅の他の印刷イメージと、を含む前記印刷レイアウトを決定する
ことを特徴とする請求項４乃至６の何れか一項記載の印刷レイアウト作成装置。
【請求項８】
前記制御部は、
前記制御部は、前記印刷物の貼付対象物の分類情報に対応する１種類以上の幅の中から他の印刷イメージの幅を決定する
ことを特徴とする請求項４乃至７の何れか一項記載の印刷レイアウト作成装置。
【請求項９】
印刷イメージが印刷装置により印刷される被印刷媒体から作成される印刷物の貼付対象物情報を取得する機能と、
前記貼付対象物情報に基づいて前記印刷イメージの幅を決定する機能と、
前記印刷装置が収納する前記被印刷媒体の長尺方向に直交する幅方向の幅の情報を取得する機能と、
前記被印刷媒体の幅と前記印刷イメージの幅とに基づいて、前記被印刷媒体における前記印刷イメージの印刷レイアウトを決定する機能と
をコンピュータに実行させることを特徴とするプログラム。
【請求項１０】
請求項７又は８記載の印刷レイアウト作成装置との間で通信を行う通信部と、
前記印刷イメージに基づき長尺状の被印刷媒体に印刷を行う印刷部と、
前記被印刷媒体の長尺方向に直交する幅方向の幅を検出する幅検出部と、
前記印刷レイアウト作成装置から前記通信部を介して取得する前記印刷イメージの幅と前記幅検出部が検出する前記被印刷媒体の幅とに基づいて、他の印刷イメージの幅の候補を決定する制御部と
を備えることを特徴とする印刷装置。
【請求項１１】
前記制御部は、前記印刷物の貼付対象物の分類情報を前記印刷レイアウト作成装置から前記通信部を介して取得し、
前記分類情報に基づいて前記他の印刷イメージの幅の候補を決定する
ことを特徴とする請求項１０記載の印刷装置。
【請求項１２】
請求項７又は８記載の印刷レイアウト作成装置との間で通信部により通信を行わせる機能と、
前記印刷イメージに基づき長尺状の被印刷媒体に印刷部により印刷を行わせる機能と、
前記被印刷媒体の長尺方向に直交する幅方向の幅を幅検出部により検出させる機能と、
前記印刷レイアウト作成装置から前記通信部を介して取得する前記印刷イメージの幅と前記幅検出部が検出する前記被印刷媒体の幅とに基づいて、他の印刷イメージの幅の候補を決定する機能と
をコンピュータに実行させることを特徴とするプログラム。
【手続補正２】
【補正対象書類名】明細書
【補正対象項目名】発明の名称
【補正方法】変更
【補正の内容】
【発明の名称】印刷システム、印刷レイアウト作成装置、印刷装置及びプログラム
【手続補正３】
【補正対象書類名】明細書
【補正対象項目名】０００１
【補正方法】変更
【補正の内容】
【０００１】
本発明は、被印刷媒体に印刷される印刷イメージを作成するための印刷システム、印刷レイアウト作成装置、印刷装置及びプログラムに関する。
【手続補正４】
【補正対象書類名】明細書
【補正対象項目名】０００８
【補正方法】変更
【補正の内容】
【０００８】
本発明の目的は、印刷イメージの作成に関するユーザの操作負担を軽減することができる、印刷システム、印刷レイアウト作成装置、印刷装置及びプログラムを提供することである。
【手続補正５】
【補正対象書類名】明細書
【補正対象項目名】０００９
【補正方法】変更
【補正の内容】
【０００９】
１つの態様では、印刷システムは、互いに通信を行う印刷装置と印刷レイアウト作成装置とを備え、印刷イメージに基づき長尺状の被印刷媒体に前記印刷装置により印刷が行われることで作成される印刷物の貼付対象物情報を取得し、前記貼付対象物情報に基づいて前記印刷イメージの幅を決定し、前記印刷装置が収納する前記被印刷媒体の長尺方向に直交する幅方向の幅を取得し、前記被印刷媒体の幅と前記印刷イメージの幅とに基づいて、前記被印刷媒体における前記印刷イメージの印刷レイアウトを決定する。
他の１つの態様では、印刷レイアウト作成装置は、印刷イメージが印刷装置により印刷される被印刷媒体から作成される印刷物の貼付対象物情報を取得し、前記貼付対象物情報に基づいて前記印刷イメージの幅を決定し、前記印刷装置が収納する前記被印刷媒体の長尺方向に直交する幅方向の幅の情報を取得し、前記被印刷媒体の幅と前記印刷イメージの幅とに基づいて、前記被印刷媒体における前記印刷イメージの印刷レイアウトを決定する。
【手続補正６】
【補正対象書類名】明細書
【補正対象項目名】００１０
【補正方法】変更
【補正の内容】
【００１０】
他の１つの態様では、プログラムは、印刷イメージが印刷装置により印刷される被印刷媒体から作成される印刷物の貼付対象物情報を取得する機能と、前記貼付対象物情報に基づいて前記印刷イメージの幅を決定する機能と、前記印刷装置が収納する前記被印刷媒体の長尺方向に直交する幅方向の幅の情報を取得する機能と、前記被印刷媒体の幅と前記印刷イメージの幅とに基づいて、前記被印刷媒体における前記印刷イメージの印刷レイアウトを決定する機能とをコンピュータに実行させる。
他の１つの態様では、プログラムは、印刷レイアウト作成装置との間で通信部により通信を行わせる機能と、前記印刷イメージに基づき長尺状の被印刷媒体に印刷部により印刷を行わせる機能と、前記被印刷媒体の長尺方向に直交する幅方向の幅を幅検出部により検出させる機能と、前記印刷レイアウト作成装置から前記通信部を介して取得する前記印刷イメージの幅と前記幅検出部が検出する前記被印刷媒体の幅とに基づいて、他の印刷イメージの幅の候補を決定する機能とをコンピュータに実行させる。
【手続補正７】
【補正対象書類名】明細書
【補正対象項目名】００１１
【補正方法】変更
【補正の内容】
【００１１】
他の１つの態様では、印刷装置は、印刷レイアウト作成装置との間で通信を行う通信部と、前記印刷イメージに基づき長尺状の被印刷媒体に印刷を行う印刷部と、前記被印刷媒体の長尺方向に直交する幅方向の幅を検出する幅検出部と、前記印刷レイアウト作成装置から前記通信部を介して取得する前記印刷イメージの幅と前記幅検出部が検出する前記被印刷媒体の幅とに基づいて、他の印刷イメージの幅の候補を決定する制御部とを備える。